(57)【要約】      （修正有）【課題】障害発生時に使用者の手間を余りかけずに収納部に集積された紙幣の枚数を確定させることができる紙幣処理装置を提供する。【解決手段】紙幣を識別する識別部と、識別部により識別され、搬送路より搬送された紙幣を集積する収納部と、該収納部への紙幣の集積に際して、識別部で取得された紙幣の第１の紙幣記番号を記憶する記憶部と、紙幣の搬送を制御し、紙幣搬送に伴う障害が発生した場合、搬送路の搬送の復旧に伴う制御を行う制御部とを有する。識別部は、障害の復旧における紙幣の再計数に際して、収納部に集積された上から複数枚の紙幣の第２の紙幣記番号を取得する。制御部は、複数枚の紙幣について、記憶部に記憶された第１の紙幣記番号と、識別部により取得された第２の紙幣記番号とを比較し、比較の結果に応じて、収納部に集積された紙幣枚数の不確定を判断する。【選択図】図１２
2019148838.tif 000002
【特許請求の範囲】
【請求項１】
紙幣がセットされる投入部と、
該投入部にセットされた紙幣を搬送する搬送路と、
該搬送路上に配置され、該紙幣を識別する識別部と、
該識別部により識別され、該搬送路より搬送された紙幣を集積する収納部と、
該収納部への紙幣の集積に際して、該識別部で取得された該紙幣の第１の紙幣記番号を記憶する記憶部と、
該搬送路における紙幣の搬送を制御し、紙幣搬送に伴う障害が発生した場合、搬送路の搬送の復旧に伴う制御を行う制御部と、を有し、
前記識別部は、障害の復旧における紙幣の再計数に際して、該収納部に集積された上から複数枚の紙幣の第２の紙幣記番号を取得し、
前記制御部は、前記複数枚の紙幣について、該記憶部に記憶された該第１の紙幣記番号と、該識別部により取得された該第２の紙幣記番号とを比較し、該比較の結果に応じて、該収納部に集積された紙幣枚数の不確定を判断すること
を特徴とする紙幣処理装置。
【請求項２】
情報を掲示する画面を表示する表示機能と、使用者による入力を受付ける入力機能とを有する操作部と、
紙幣の識別結果に応じて紙幣を収納する複数の前記収納部と、
該各収納部に集積される紙幣を検知する、該各収納部の入口に配置されたセンサと、を有し、
前記制御部は、該センサからの検知信号を基に、該収納部ごとに該収納部に集積された紙幣の枚数を管理し、かつ
紙幣搬送による障害の発生と判断した場合、該収納部ごとの紙幣の集積枚数を含む画面を該操作部に表示する
請求項１に記載の紙幣処理装置。
【請求項３】
前記画面は、前記収納部に集積された紙幣の再計数をするか否かを選択する表示ボタンを含み、
使用者によって該表示ボタンが操作された場合、前記制御部は、前記搬送路を制御して、前記投入部にセットされた前記複数枚の紙幣を搬送し、前記識別部で該複数枚の紙幣の前記第２の紙幣記番号を取得するように制御する
請求項２に記載の紙幣処理装置。
【請求項４】
紙幣の再計数を実施した後、前記制御部は、該収納部ごとに、紙幣の前記集積枚数と、前記比較の結果による紙幣記番号の不一致枚数を含む画面を前記操作部に表示する
請求項１乃至３のいずれかの項に記載の紙幣処理装置。
【請求項５】
前記識別部は、紙幣の画像を取得することができ、
前記制御部は、前記比較の結果、紙幣記番号の不一致となったとき、該不一致となった紙幣の紙幣記番号と、該紙幣の画像とを含む画面を前記操作部に表示する
請求項１乃至４のいずれかの項に記載の紙幣処理装置。
【請求項６】
紙幣の再計数を実施した後、前記制御部は、該収納部ごとに、紙幣の前記集積枚数と、前記比較の結果による紙幣記番号の不一致枚数と、該不一致枚数を基に、該集積枚数を補正することを指示する補正ボタンを含む画面を前記操作部に表示し、
前記制御部は、該補正ボタンの操作に従って、前記収納部に対応する前記集積枚数を、前記不一致枚数分変更する
請求項４に記載の紙幣処理装置。
【請求項７】
紙幣がセットされる投入部と、該投入部にセットされた紙幣を搬送する搬送路と、
該搬送路上に配置され、該紙幣を識別する識別部と、該識別部により識別され、該搬送路より搬送された紙幣を集積する収納部と、該識別部で取得された該紙幣の情報を記憶する記憶部と、少なくとも該搬送路における紙幣の搬送を制御する制御部と、を有する紙幣処理装置における紙幣処理方法であって、
前記収納部への紙幣の集積に際して、前記識別部が該紙幣の第１の紙幣記番号を取得するステップと、
前記取得された該紙幣の第１の紙幣記番号を該記憶部に順次記憶するステップと、
その後、前記識別部が、該収納部に集積された上から複数枚の紙幣について第２の紙幣記番号を取得するステップと、
前記制御部が、前記複数枚の紙幣について、該記憶部に記憶された前記第１の紙幣記番号と、前記第２の紙幣記番号とを比較し、該比較の結果に応じて、該収納部に集積された紙幣枚数の不確定を判断するステップと、
有することを特徴とする紙幣処理方法。
【発明の詳細な説明】
【技術分野】
【０００１】
本発明は、紙幣処理装置及び方法に係り、特に、紙幣を仕分けする紙幣仕分け機に発生した障害の復旧時における紙幣の処理に関する。
【背景技術】
【０００２】
紙幣仕分け機（紙幣ソーターともいう）は、紙幣を識別、計数して仕分けするための装置であり、例えば、紙幣を投入するための紙幣投入部、紙幣投入部から搬送された紙幣を識別するための紙幣識別部、識別された紙幣を指示された条件に従って振り分けて集積するためのポケット、ポケットに振り分けられない紙幣を集積するリジェクトポケット、使用者が操作する操作部などを有して構成されている。
【０００３】
この紙幣仕分け機における紙幣の計数処理中に、搬送路に紙幣詰りなどの障害が発生することがある。障害時には装置内部の搬送路上に多数の紙幣が残留するため、ポケットに集積された紙幣枚数が確定できなる。そのため、障害復旧時に全ての紙幣を再度計数し直す必要があり、その手間と時間が無視できない。
【０００４】
紙幣の搬送エラーの発生時に紙幣を適正に管理する技術として、例えば特許文献１には、入金処理を行う紙幣処理装置において、識別部で読み取った紙幣記番号に記憶部に記憶しておき、搬送エラーの発生時に、記憶部が記憶している紙幣記番号を基に、搬送路上に存在している紙幣であって識別部で読み取った記番号を出力することで、障害発生時における紙幣の管理を適正化して紙幣の計数処理の復旧を図る紙幣処理装置が開示されている。
【０００５】
この技術では、エラー復旧時に搬送路上に存在している全ての紙幣を出金口に搬送するように搬送路を駆動する。更に、エラー復旧時に、オペレータが搬送路上に存在している紙幣を取り除き、手許にある紙幣の記番号と出力された紙幣の記番号とを照合し、その結果、出力された記番号に対応する紙幣が全て手許にあるか否かを確認する。全ての記番号の紙幣が手許に無いとき、オペレータはエラー復旧の際に収納部内を確認してその紙幣が収納部内にあればそれを取り除くことで装置内残高と収納部内に収納された紙幣の残高との間の差異を回避できる、としている（特許文献１、段落００１２−００１３）。
【先行技術文献】
【特許文献】
【０００６】
【特許文献１】特開２０１４−１０９９６３号公報
【発明の概要】
【発明が解決しようとする課題】
【０００７】
特許文献１の技術によれば、エラー復旧時に、全ての記番号の紙幣が手許に無いとき、オペレータはエラー復旧の際に収納部内を確認してその紙幣が収納部内にあればそれを取り除くことで装置内残高と収納部内に収納された紙幣の残高との間の差異を回避できるとしている。しかし、オペレータの目視による照合では確認誤りを引き起こす可能性がある。また、特許文献１には、障害発生時に、収納部に収納された紙幣のうち何処の紙幣までの累計枚数が確定したものとして扱うかについての開示が無い。更に言えば、障害発生時に紙幣枚数を確定させるために収納部に集積された紙幣を再計数するかについての示唆が無い。
【０００８】
本発明の目的は、障害発生時に使用者の手間を余りかけずに収納部に集積された紙幣の枚数を確定させることにある。
【課題を解決するための手段】
【０００９】
本発明に係る紙幣処理装置は、好ましくは、紙幣がセットされる投入部と、
該投入部にセットされた紙幣を搬送する搬送路と、
該搬送路上に配置され、該紙幣を識別する識別部と、
該識別部により識別され、該搬送路より搬送された紙幣を集積する収納部と、
該収納部への紙幣の集積に際して、該識別部で取得された該紙幣の第１の紙幣記番号を記憶する記憶部と、
該搬送路における紙幣の搬送を制御し、紙幣搬送に伴う障害が発生した場合、搬送路の搬送の復旧に伴う制御を行う制御部と、を有し、
前記識別部は、障害の復旧における紙幣の再計数に際して、該収納部に集積された上から複数枚の紙幣の第２の紙幣記番号を取得し、
前記制御部は、前記複数枚の紙幣について、該記憶部に記憶された該第１の紙幣記番号と、該識別部により取得された該第２の紙幣記番号とを比較し、該比較の結果に応じて、該収納部に集積された紙幣枚数の不確定を判断することを特徴とする紙幣処理装置として構成される。  
本発明はまた、上記紙幣処理装置における紙幣処理方法としても構成される。
【発明の効果】
【００１０】
本発明によれば、障害発生時に収納部に集積した紙幣の一部を再計数することで、使用者の手間が余りかけずに、正確に収納部内の紙幣の枚数を確定することができる。
【図面の簡単な説明】
【００１１】
【図１】一実施例における紙幣仕分け機の外観を示す正面図である。
【図２】紙幣仕分け機の内部機構を示す正面図である。
【図３】紙幣仕分け機の機能構成を示すブロック図である。
【図４】紙幣仕分け機における紙幣の搬送路を示す側面図である。
【図５】紙幣の搬送障害発生時の紙幣の状態を示す図である。
【図６】紙幣の搬送障害発生時における復旧処理を示すフローチャートである。
【図７】復旧処理における再計数動作を示すフローチャートである。
【図８】紙幣の搬送障害発生時における障害情報画面を示す図である。
【図９】障害復旧時における再計数要否選択画面を示す図である。
【図１０】紙幣の搬送障害発生時におけるポケット内の状態を示す図である。
【図１１】再計数処理前後における紙幣記番号の状態を示す図である。
【図１２】再計数結果画面を示す図である。
【図１３】紙幣の搬送障害発生時におけるポケット内の状態を示す図である。
【図１４】再計数処理前後における紙幣記番号の状態を示す図である。
【図１５】再計数結果画面を示す図である。
【図１６】他の実施例による紙幣の搬送障害発生時の復旧処理における再計数動作を示すフローチャートである。
【図１７】再計数実施後の計数結果補正要否選択画面を示す図である。
【発明を実施するための形態】
【００１２】
以下、図面を用いて、本発明の好ましい実施例について説明する。
【実施例１】
【００１３】
図１は紙幣仕分け機の外観正面図である。紙幣仕分け機１は、種々の情報を掲示する画面を表示する表示機能と使用者による入力を受付ける入力機能とを有する、タッチパネルを備えた操作部２と、計数したい紙幣を投入するための紙幣投入部３と、振分け条件により振分けられた紙幣を集積する複数のポケット４と、ポケット４に振分けられない紙幣を集積するリジェクトポケット５を有する。なお、図示していないが、この装置内部には紙幣仕分け機のプログラムやデータを記憶する記憶部や、プログラムを実行するプロセッサ（ＣＰＵ）、電力を供給するための電源ユニットなどが設けられている。
【００１４】
図２は紙幣仕分け機１の内部構成を示す。  
紙幣投入部３には、紙幣を装置内へ送り込むための繰出し機構１２が配置され、更に繰出し機構１２により繰り出される紙幣を搬送するための、ベルトやローラなどから成る搬送機構１１が配置される。搬送機構１１は、紙幣投入部３から送り込まれた紙幣を、紙幣識別部１０を通して複数のポケット４又はリジェクトポケット５へ搬送する。３つのポケットは例えば、千円札、五千円札、一万円札をそれぞれ集積する。識別の結果、仕分け条件に該当しない紙幣はリジェクトポケット５に集積する。各ポケット４の入口に配置された紙幣集積機構１５により紙幣はポケット４内に収納される。紙幣集積機構１５は、例えばローラの外周に多数の羽根が付いた羽根車であり、収納口より送り込まれる紙幣を１枚ずつ羽根に挟んでポケット４内に叩き落すことにより、紙幣を収納する。
【００１５】
紙幣識別部１０は、紙幣の金種や真偽等を識別し、識別の結果、振分け条件に従って複数ポケット４のいずれに紙幣を集積するかを決定する。集積場所が決定された紙幣は搬送機構１１により搬送され、各ポケット４の上部にある搬送路切替機構１３により搬送路が切り替えられて、該当するポケット４に搬送される。各ポケット４の入口には、例えば発光素子と受光素子の対から成る光学センサのようなセンサ１４が配置される。センサ１４は、入口を通過する紙幣を検知し、その検知信号を制御部１８（図３）へ転送する。
【００１６】
図３は紙幣仕分け機の機能構成を示す。  
紙幣仕分け機１は、上記したような、操作部２、紙幣投入部３、ポケット４、リジェクトポケット５、紙幣識別部１０、搬送機構１１、繰出し機構１２、搬送路切替機構１３、センサ１４、紙幣集積機構１５、及び記憶部１６、上記各機構部へ電力を供給する電源ユニット１７、上記各機構部を制御する制御部１８を有して構成される。紙幣識別部１０は、光学センサや磁気センサ等の複数のセンサを有しており、これらのセンサによって紙幣を識別するための情報を取得する。搬送路には随所に光学センサが設置されており、搬送される紙幣を検知する。
【００１７】
制御部１８は、プログラムを実行するプロセッサ（ＣＰＵ）で構成され、センサ１４からの検知信号を基に、各ポケット４及びリジェクトポケット５に集積される紙幣を計数することで、各ポケット４、５に集積される紙幣の枚数を管理することができる。各ポケットにおける紙幣の集積枚数は記憶部１６に記憶される。制御部１８は、紙幣識別部１０が取得した紙幣画像（記番号を含む紙幣情報）や各ポケットの紙幣の計数結果を含む画面を操作部２に表示することができる。また、搬送路には随所に光学センサが設置されており、搬送される紙幣を検知している。制御部１８は、搬送路に配置された複数の光学センサによる検知信号を基に紙幣の搬送時間間隔をチェックすることで、紙幣搬送異常を判定する。
【００１８】
記憶部１６は、紙幣識別部１０が取得する、紙幣識別情報である紙幣記番号や紙幣画像などの情報を記憶する。より詳しく言えば、記憶部１６はポケット４ごと及びリジェクトポケット５に対応して、そこに集積した紙幣の枚数、及び集積した紙幣の紙幣記番号を順に記録した紙幣記番号リストを記憶する。ポケット４，５対応の紙幣枚数は、例えば障害情報画面７０や再計数要否選択画面８０に表示される。紙幣記番号リスト（第１の紙幣記番号リスト）は紙幣の再計数処理時に紙幣識別部１０にて取得された紙幣記番号との照合に用いられる。紙幣記番号リストは、例えば図１０における紙幣記番号Ｇ７７７７７、Ｆ６６６６６、Ｅ５５５５５、Ｄ４４４４４、Ｃ３３３３３、Ｂ２２２２２、Ａ１１１１１のように、紙幣の集積順に紙幣記番号を記録したものである。
【００１９】
図４は、紙幣仕分け機における紙幣の搬送路を示す。  
紙幣投入部３にセットされた紙幣Ｂ１は、繰出し機構１２により一枚ずつ繰出されて、搬送機構１１により装置内へ搬送される。搬送機構１１に搬送される紙幣は、紙幣識別部１０で金種及び真偽等が識別されて振分け条件に従ってその集積先のポケットが決定される。識別の結果、正常な紙幣Ｂ２は、振分け条件に応じて何れかのポケット４に集積される。一方、振分け条件を満たさない紙幣又は偽券などの特別な条件による紙幣Ｂ３は、リジェクトポケット５へ搬送されてそこに集積される。
【００２０】
図５は、紙幣の計数処理中に紙幣の搬送障害が発生した時の紙幣の状態を示す。  
紙幣の搬送中に紙幣Ｂ４のような紙幣詰りなどの搬送障害が発生した場合、制御部１８は、搬送機構１１の駆動を止めて全ての紙幣の搬送を停止し、各ポケット４への紙幣の集積及びポケットごとの紙幣の計数処理を終了させる。しかし、搬送機構１１のベルトやローラを駆動する搬送モータ（不図示）は瞬時に停止状態となるわけではなく、極わずかではあるが慣性で回転する。その際、ポケット４へ集積する枚数を計数するためのセンサ１４に掛かっていた紙幣Ｂ２１がポケット４へ落ちることがある。この紙幣Ｂ２１は計数終了時に、センサ１４を通過していないため、ポケット４に集積した紙幣Ｂ２２として計数されていないことになる。そのため、センサ１４が検知した信号に基づく紙幣の計数結果とポケット４内に実際に集積した紙幣の枚数との間に違算が生じる。これに対して、搬送異常発生時に紙幣Ｂ２３はセンサ１４を通過しているので、ポケットに集積された紙幣Ｂ２４と同様に計数される。
【００２１】
また、障害復旧のため、使用者が搬送路上の紙幣を取り除いた際にセンサ１４を通過した直後の紙幣Ｂ２４を取り除いてしまう場合も計数結果とポケット内の実際の紙幣枚数に違算が生じる。
【００２２】
本実施例は、ポケット４に集積される紙幣の違算を防止するものである。以下、図６及び図７のフローチャートを参照して、障害復旧時における紙幣の計数処理動作について説明する。
【００２３】
搬送路で紙幣の詰まり等の障害が発生すると、制御部１８は紙幣の搬送障害発生を判定して、搬送機構１１の動作を停止する。この時、制御部１８は搬送路の随所に配置された光学センサからの検知信号に基に障害発生箇所を特定しており、障害情報画面７０を操作部２に表示する（Ｓ１００）。図８に示すように、障害情報画面７０は、各ポケット４及びリジェクトポケット５の紙幣集積枚数と、障害発生箇所を示す表示（×印）と、障害排除のため（紙幣を取り除く旨）の案内表示と、リセットボタン７０１を含む。  
使用者は、操作部２に表示された障害情報画面７０の指示に従って、搬送路にある障害要因（即ち残留紙幣）を取り除く。以後、搬送機構１１は紙幣を円滑に搬送することができる。
【００２４】
その後、使用者によって障害情報画面７０のリセットボタン７０１が押下されると、制御部１８はその押下を検知して、リセットを実施する（Ｓ１０１）。制御部１８は、搬送路に設置された複数の光学センサの検知信号を基に搬送路に残留している紙幣の有無を確認し、更に搬送路の開閉状態を確認して、全てが正常に復旧できているかを判定する（Ｓ１０２）。
【００２５】
判定の結果、制御部１８が、搬送路に残留した紙幣が取り除かれていない、又は搬送路の何れかの部分が開かれている、と判断した場合（Ｓ１０２：Ｎｏ）、制御部１８は該当部分に不具合がある旨の表示を含む画面を操作部２に表示して、利用者に不具合を取り除くことを促す。一方、判定の結果、制御部１８が、全て正常に復旧できていると判断した場合（Ｓ１０２：Ｙｅｓ）、制御部１８は、再計数要否選択画面８０（図９）を操作部２に表示する（Ｓ１０３）。図９に示すように、再計数要否選択画面８０は、各ポケット４及びリジェクトポケット５の紙幣集積枚数と、紙幣仕分け機１の外観図と、再計数「要」ボタン８０１と、再計数「不要」ボタン８０２を含む。使用者は、「要」ボタン８０１又は「不要」ボタン８０２の何れかを選択して押下することができる。
【００２６】
制御部１８は、使用者が「不要」ボタン８０２を押下したことを検知すると、紙幣仕分け機の復旧処理を終了する。一方、「要」ボタン８０１の押下を検知すると、紙幣の再計数処理（Ａ処理と示す）Ｓ１０５へ移行する。
【００２７】
次に、図７を参照して、紙幣の再計数処理Ｓ１０５について説明する。  
紙幣の再計数処理は、複数のポケット４に集積された紙幣の枚数を再計数することで、各ポケットに集積された紙幣枚数を確定させる処理である。
【００２８】
再計数処理において、使用者は、ポケット４ごと例えば左側のポケットからポケットに集積された紙幣の上側から一部（例えば数枚から１０枚程の紙幣）を抜き取って、紙幣投入部３にセットする（Ｓ２０１）。そして、制御部１８は紙幣投入部３から繰り出される紙幣の再計数を実施する（Ｓ２０２）。紙幣の再計数では、制御部１８は、紙幣識別部１０より取得された上記一部の紙幣（数枚から１０枚程の紙幣）の紙幣記番号を記録した紙幣記番号リスト（第２の紙幣記番号リスト）を作成し、更に第２の紙幣記番号リストに記録された紙幣記番号と、以前に取得して記憶部１６に記憶されている第１の紙幣記番号リスト（障害発生時の紙幣記番号リスト）に記録された紙幣記番号を順次比較する（Ｓ２０３）。
【００２９】
比較の結果、1又は複数の紙幣記番号が不一致の場合（Ｓ２０４：Ｎｏ）、制御部１８は、不一致紙幣情報を掲載した再計数結果確認画面８１（図１２）を操作部２に表示する（Ｓ２０５）。図１２に示すように、再計数結果画面８１は、ポケットごとの紙幣記番号の不一致紙幣枚数８１１と、不一致となった紙幣の記番号８１２と、紙幣識別部１０が取得した紙幣画像８１３と、確認ボタン８１４を含む。使用者は不一致紙幣の紙幣画像を確認したら、確認ボタン８１４を押下する（Ｓ２０６）。以上の処理により、使用者は不一致となる要因を確認することができた。
【００３０】
一方、上記比較の結果、全ての紙幣記番号が一致の場合、制御部１８は紙幣の過不足が無いと判断して、再計数結果画面８１を操作部２に表示して（Ｓ２０６）、再計数処理を終了する。この場合、再計数結果画面８１には不一致紙幣の枚数「０」、不確定紙幣の紙幣記番号や紙幣画像の表示はない。この場合でも、使用者が、再計数結果確認画面８１（図１２）の確認ボタン８１４を押下することで、一連の動作が終了する。  
なお、ポケット４が複数ある場合、図７の点線部の動作はポケットの数に応じて複数回繰り返されることになる。
【００３１】
次に、図１０乃至図１１を参照して、搬送障害発生時及び再計数時における紙幣記番号の比較処理の様子について説明する。  
図１０のような状態で紙幣の搬送障害が発生して、制御部１８の制御により搬送機構１１の動作が止まったとする。図１０では、ポケット４に集積された計数済みの紙幣Ｂ２２と、センサ１４を通過していない紙幣Ｂ２１があり、紙幣Ｂ２１は障害発生後にポケット４に落ちたとする。
【００３２】
再計数実施前後における紙幣記番号の状態を図１１に示す。障害発生時、計数結果である１５０枚の紙幣Ｂ２２はポケット４に集積済みである。それらの紙幣の紙幣記番号は上から、Ｇ７７７７７、Ｆ６６６６６、Ｅ５５５５５、Ｄ４４４４４、Ｃ３３３３３、Ｂ２２２２２、Ａ１１１１１、…である。しかし、実際にはポケット４内には計数済み紙幣Ｂ２２以外に、計数されていない紙幣Ｂ２１（紙幣記番号Ｈ８８８８８）が入っている。この場合、Ｂ２２の紙幣記番号が第１の紙幣記番号リストに記録されていることになる。
【００３３】
再計数処理に際して、使用者はポケット４に集積された紙幣Ｂ２２を上から数枚（図１１の例では６枚の紙幣Ｂ２２２）抜き取って、再計数を行ったとする。再計数の結果、紙幣識別部１０で識別された紙幣記番号（即ち第２の紙幣記番号リストに記録された紙幣記番号）は、上からＨ８８８８８、Ｇ７７７７７、Ｆ６６６６６、Ｅ５５５５５、Ｄ４４４４４、Ｃ３３３３３である。この場合、紙幣記番号Ｇ７７７７７、Ｆ６６６６６、Ｅ５５５５５、Ｄ４４４４４、Ｃ３３３３３が、第１の紙幣記番号リストに記録された紙幣記番号と一致しており（障害発生時と枚数が一致）、計数結果には影響が無い。しかし、再計数処理において紙幣記番号Ｈ８８８８８が追加されており、この１枚の紙幣Ｂ２１が不確定要因となる。
【００３４】
再計数処理の結果、操作部２に表示される画面８１（図１２）には、不確定要因となった紙幣の枚数８１１、不確定紙幣の紙幣記番号８１２、紙幣画像８１３が含まれている。使用者は、画面８１から、障害発生時に計数した紙幣枚数より１枚多い紙幣（不一致紙幣「＋１」）がポケット４に入っていること及びその紙幣記番号等を認識することができる。
【００３５】
障害発生時における再計数処理の他の例として、図１３乃至図１５を参照する。  
図１３に示す例は、障害復旧時に、使用者が搬送路に残留した紙幣を取り除いた際に、既に計数済みの紙幣Ｂ２３（即ちセンサ１４を通過したがポケット４内完全に落ち切れていない紙幣Ｂ２３）を取り除いてしまった例である。
【００３６】
図１４のように、障害発生時、計数結果である１５０枚の紙幣Ｂ２４及びＢ２３は計数済みである。それらの紙幣の紙幣記番号は上から、Ｇ７７７７７、Ｆ６６６６６、Ｅ５５５５５、Ｄ４４４４４、Ｃ３３３３３、Ｂ２２２２２、Ａ１１１１１、…である。この場合、計数済みの上記全ての紙幣記番号が第１の紙幣記番号リストに記録されている。しかし、実際には復旧時に使用者によって紙幣Ｂ２３が抜き取られたので、紙幣Ｂ２３紙幣番号Ｇ７７７７は計数されたにも拘わらず、ポケット４内に存在しない。
【００３７】
再計数処理に際して、使用者はポケット４に集積された紙幣Ｂ２４を上から数枚（図１４の例では６枚の紙幣Ｂ２４２）抜き取って再計数を行った。再計数の結果、紙幣識別部１０で識別された紙幣記番号（即ち第２の紙幣記番号リストに記録された紙幣記番号）は、上からＦ６６６６６、Ｅ５５５５５、Ｄ４４４４４、Ｃ３３３３３、Ｂ２２２２２、Ａ１１１１１、である。この場合、６枚全ての紙幣の紙幣記番号が第１の紙幣記番号リストに記録された紙幣記番号と一致しているが、第１の紙幣記番号リストに記載された紙幣記番号Ｇ７７７７７が一致せず、紙幣Ｂ２３が不確定要因となる。
【００３８】
再計数処理の結果、操作部２に表示される画面８２（図１５）には、不確定要因となった紙幣の枚数８２１、不確定紙幣の紙幣記番号８２２、紙幣画像８２３が含まれている。使用者は、画面８２から、ポケット４内の紙幣枚数が障害発生時に計数した紙幣枚数より１枚少ないこと（不一致紙幣「−１」）こと及びその紙幣記番号等を認識することができる。
【００３９】
以上のように、障害復旧時にポケット４内に集積した紙幣の一部を再計数することにより、ポケット内の紙幣の枚数を確定させることができる。このため、障害復旧時にポケットに集積した全ての紙幣の枚数を計数し直す必要がなくなるので、使用者の手間を余りかけずに短時間でポケット内の計数結果の正確性が確保することができる。
【実施例２】
【００４０】
図１６及び図１７を参照して、実施例２について説明する。  
実施例２は、紙幣の再計数の結果、ポケット４内の不確定要因となった紙幣の枚数を用いて、障害発生時の計数結果を補正することで、利便性をより向上させるものである。
【００４１】
実施例２は、実施例１の再計数処理（図７）の変形例である。ここで、紙幣仕分け機１の構成や障害復旧処理は、図１〜図６、図８〜図１１と同様であるので、重複説明を省略する。なお、ポケット４が複数在る場合、ポケットごとに図１６の点線部の処理が実施される。
【００４２】
図１６に示す再計数動作において、Ｓ２０１〜Ｓ２０４は、図７に示すそれらの処理と同じである。制御部１８の制御の下、複数のポケット４のうち１のポケットに集積された数枚の紙幣を用いて再計数を実施して（Ｓ２０２）、再計数前後の紙幣記番号の比較する（Ｓ２０２）。比較の結果、全ての紙幣記番号が一致すれば（Ｓ２０４：Ｙｅｓ）、当該ポケットの紙幣の計数値を補正しない（Ｓ３１１）。この場合、制御部１８は、紙幣の過不足が無い旨の結果確認画面を操作部２に表示する（Ｓ３１５）。この場合は正常な終了であり、結果確認画面は例えば図１２に示す画面であって、不確定紙幣や不一致紙幣の枚数０の画面である。使用者が再計数結果を確認して、確認ボタン８１４を押下することで、処理が終了する。
【００４３】
一方、紙幣記番号の比較の結果、不一致があった場合（Ｓ２０４：Ｎｏ）、制御部１８は、不一致紙幣情報を掲載した再計数結果画面８３（図１７）を操作部２に表示する（Ｓ３１２）。再計数結果画面８３には、再計数結果として、不確定要因となった紙幣の枚数８３１、その紙幣の紙幣記番号８３２、紙幣画像８３３、再計数の結果の計数値８３６が含まれる。使用者は、表示された再計数結果画面８３の内容を確認して、もし紙幣枚数の計数値の補正が必要と判断した場合には（Ｓ３１３：Ｙｅｓ）、「補正する」ボタン８３４を押下する。制御部１８は「補正する」ボタン８３４の押下を検知すると、補正要と判断して、当該ポケットの紙幣枚数を補正値に従って変更する。図１７の例では、ポケット１の紙幣枚数の結果を１５１枚に変更し（Ｓ３１４）、その結果確認画面を操作部２に表示する（Ｓ３１５）。結果確認画面は例えば図１２のような画面（但し不一致紙幣枚数の表示がない）であり、使用者が確認ボタン８１４を押下することで、処理が終了する。
【００４４】
一方、使用者が、「補正しない」ボタン８３５を押下した場合、制御部１８は、再計数値の変更不要と判断して、計数結果の補正を行わず、結果確認画面を操作部２に表示する（Ｓ３１５）。結果確認画面は例えば図１２に示す画面であって、不一致紙幣８１１が「＋１」と表示されたものである。使用者が確認ボタン８１４を押下することで、再計数処理を終了する。
【００４５】
以上のように、実施例２においては、紙幣の搬送障害発生時の不確定要因を特定した後、使用者の指示に従って、障害発生時の紙幣枚数の計数結果をポケットごとの紙幣枚数に反映することができる。これにより、人手による紙幣の再計数に伴う遅延や計数ミスを招くことなく、障害復旧時における紙幣の計数作業効率を一層向上させることができる。
【００４６】
なお、本発明は上記実施例に限定されることなく、種々変形し又は応用して実施できる。例えば、上記実施例では、再計数の実行結果を結果確認画面により表示するとしたが、これに限らない。例えば、再計数の実行結果を、紙幣仕分け機が備えるプリンタを用いて明細票に印字してもよい。また、紙幣仕分け機に接続されるネットワークを介してホストコンピュータに送信してそこに保管して、ホストコンピュータ側で表示装置に表示又は印字するようにしてもよい。
【００４７】
また再計数結果画面の例として、図１２や図１５には、再計数結果による不一致紙幣の枚数と、不確定紙幣に関する紙幣記番号や紙幣画像を含む画面を示している。しかし、他の例によれば１つの画面に限定されず、複数の画面を用いてこれらを表示してもよい。例えば、第１の画面に、ポケット対応に再計数結果による不一致紙幣の枚数８２１と確認ボタン８２４を表示し、第２の画面に不確定紙幣に関する紙幣記番号８２２と紙幣画像８２３を含む画面を表示するようにしてもよい。この場合、第１の画面には、第２の画面があることを示す、「次へ」の表示ボタンを含め、この「次へ」の表示ボタンが操作されたときに、制御部１８が第２の画面を操作部２に表示制御することで実現できる。
【００４８】
また更に他の変形例によれば、図１２や図１５の再計数結果画面には、不確定紙幣に関する紙幣記番号や紙幣画像を含めない、即ち上記変形例において第２の画面が無くてもよい。
【符号の説明】
【００４９】
１…紙幣仕分け機            ２…操作部
３…紙幣投入部              ４…ポケット
５…リジェクトポケット      １０…紙幣識別部
１１…紙幣搬送機構          １２…紙幣繰出し機構
１３…搬送路切替機構        １４…センサ
１５…集積機機構            １６…記憶部
１７…電源ユニット          １８…制御部
【図１】
2019148838.tif 000003
【図２】
2019148838.tif 000004
【図３】
2019148838.tif 000005
【図４】
2019148838.tif 000006
【図５】
2019148838.tif 000007
【図６】
2019148838.tif 000008
【図７】
2019148838.tif 000009
【図８】
2019148838.tif 000010
【図９】
2019148838.tif 000011
【図１０】
2019148838.tif 000012
【図１１】
2019148838.tif 000013
【図１２】
2019148838.tif 000014
【図１３】
2019148838.tif 000015
【図１４】
2019148838.tif 000016
【図１５】
2019148838.tif 000017
【図１６】
2019148838.tif 000018
【図１７】
2019148838.tif 000019